(57)【要約】【課題】ハンドレールに連続した粘着シートを貼付剥離することのできるエスカレータハンドレール用連続シート貼付剥離装置を提供すること。【解決手段】連続シート貼付剥離装置は、欄干に取り付けられ得る台座上に貼付ユニットと剥離ユニットを備え、ハンドレール上に連続してシートを貼付し剥離させるための装置であって、貼付ユニットは、先端でハンドレール上に貼付されたシートをその移動に応じてその上に連続的に供給するシート供給装置と、供給されたシートをハンドレールの表面に沿って案内して貼付ける案内貼付装置とを備え、剥離ユニットは、ハンドレールから剥離させるべきシートを巻き取りつつそこから剥離させる方向に引いて剥離させる巻き取り装置と、この巻き取り装置をハンドレールの移動速度に対応する速度で駆動する駆動装置とを備え、剥離ユニットは、ハンドレールの移動方向に見て貼付ユニットの上流側に設けられている。【選択図】　　　　図１
2004123253.tif 000002
【特許請求の範囲】
【請求項１】
エスカレータの欄干に取り付けられ得る台座上に貼付ユニットおよび剥離ユニットを備え、ハンドレール上に連続粘着シートを貼付し剥離させるための装置であって、
上記貼付ユニットは、先端でハンドレール上に貼付された粘着シートをハンドレールの移動に応じてハンドレール上に連続的に供給する粘着シート供給装置と、上記粘着シート供給装置から供給された粘着シートを上記ハンドレールの表面に沿って案内して貼付ける案内貼付装置とを備え、
上記剥離ユニットは、ハンドレールから剥離させるべき粘着シートを巻き取りつつハンドレールから剥離させる方向に引いて剥離させる巻き取り装置と、この巻き取り装置をハンドレールの移動速度に対応する速度で駆動する駆動装置とを備え、
上記剥離ユニットは、ハンドレールの移動方向に見て上記貼付ユニットの上流側に設けられたことを特徴とするエスカレータハンドレール用連続シート貼付剥離装置。
【請求項２】
上記貼付ユニットの上記粘着シート供給装置は、上記台座に設けられて粘着シートのロールを回転可能に支持する支持軸と、上記支持軸に支持された粘着シートのロールから繰り出されたシート裏紙を巻き取るシート裏紙巻き取りローラと、上記支持軸上のロールの回転を上記シート裏紙巻き取りローラに伝達する伝達機構とを備えたことを特徴とする請求項１記載のエスカレータハンドレール用連続シート貼付剥離装置。
【請求項３】
上記貼付ユニットの上記案内貼付装置は、上記台座に設けられて、ハンドレール上に供給された粘着シートにハンドレールの移動方向に見て下流側に向かって次第に方向が変化する押圧力を加える複数の押圧ローラを備え、粘着シートをハンドレールの表面に沿って曲げて密着させることを特徴とする請求項１あるいは２記載のエスカレータハンドレール用連続シート貼付剥離装置。
【請求項４】
上記剥離ユニットの巻き取り装置は、ハンドレールから剥離させるべき粘着シートを先端から巻き取る巻き取りボビンを備えたことを特徴とする請求項１乃至３のいずれか一項記載のエスカレータハンドレール用連続シート貼付剥離装置。
【請求項５】
上記剥離ユニットの駆動装置は、上記台座に設けられ、ハンドレール上に摩擦接触して回転される駆動ローラと、上記駆動ローラの回転を上記巻き取り装置に伝達する伝達装置を備えたことを特徴とする請求項１乃至４のいずれか一項記載のエスカレータハンドレール用連続シート貼付剥離装置。
【請求項６】
上記剥離ユニットは、上記台座上で、粘着シートのハンドレール上に貼付された部分とハンドレールから剥離させる方向に引かれる部分との間に設けられ、粘着シートにハンドレールの移動方向に沿って次第に方向が変化する押圧力を加える複数の展開ローラを持ち、ハンドレールの表面に沿って曲げて密着した粘着シートをハンドレールから剥離させつつ次第に平板状に拡げる展開案内装置を備えたことを特徴とする請求項１乃至５のいずれか一項記載のエスカレータハンドレール用連続シート貼付剥離装置。
【請求項７】
上記台座が、上記貼付ユニットおよび上記剥離ユニットを支持するフレームと、上記フレームに設けられてエスカレータの欄干に固着され得る吸盤装置を有する固定装置とを備えたことを特徴とする請求項１乃至６のいずれか一項記載のエスカレータハンドレール用連続シート貼付剥離装置。
【請求項８】
上記貼付ユニットおよび上記剥離ユニットが、粘着シートに張力を伝達する摩擦クラッチ機構をそれぞれ備えたことを特徴とする請求項１乃至７のいずれか一項記載のエスカレータハンドレール用連続シート貼付剥離装置。
【請求項９】
エスカレータハンドレール用連続シート貼付剥離装置に用いる剥離ユニットを備えた剥離装置であって、上記剥離ユニットは、ハンドレールから剥離させるべき粘着シートを巻き取りつつハンドレールから剥離させる方向に引いて剥離させる巻き取り装置と、この巻き取り装置をハンドレールの移動速度に対応する速度で駆動する駆動装置と、台座上で、粘着シートのハンドレール上に貼付された部分とハンドレールから剥離させる方向に引かれる部分との間に設けられ、粘着シートにハンドレールの移動方向に沿って次第に方向が変化する押圧力を加える複数の展開ローラを持ち、ハンドレールの表面に沿って曲げて密着した粘着シートをハンドレールから剥離させつつ次第に平板状に拡げる展開案内装置を備えたことを特徴とする剥離装置。
【発明の詳細な説明】
【０００１】
【発明の属する技術分野】
この発明はエスカレータハンドレール用連続シート貼付剥離装置に関し、特に連続した粘着シートを連続的にハンドレールに貼付又剥離するエスカレータハンドレール用連続シート貼付剥離装置に関する。
【０００２】
【従来の技術】
従来の宣伝広告や案内などの表示を有するエスカレータ用ハンドレールは、表示を印刷した樹脂製シート、フィルム等の比較的短いシールをハンドレールの表面に多数枚定間隔に接着したものであり、ハンドレールのほぼ平坦な表面中央部にだけ表示面が設けられている（例えば、特許文献１参照。）。
【０００３】
また、ハンドレールの中央部分の表面に記入表示を行い、その上に樹脂コーティングを施しているものもある（例えば、特許文献２参照）。
【０００４】
【特許文献１】
実開昭６１−５９２７４号公報　（第３頁第１行から第８行）
【特許文献２】
実開昭６３−１６２７７７号公報　（第３頁から第４頁）
【０００５】
【発明が解決しようとする課題】
しかしながら、多数枚のシールを貼り付けられたハンドレールでは、シールの外縁が手によって繰り返し摺られたり、ハンドレール駆動装置の押圧車輪で摩擦駆動されるためにシールが剥離しやすいという問題があった。さらに、多数枚のシールを貼り付けることと剥離する作業に多くの人手がかかるという問題もあった。
また、ハンドレール全長に渡るような長い連続した粘着シートは貼付にも剥離にも多大のマンパワーを要し、ある場合には貼付作業だけに３時間を要したこともあった。剥離作業も人手で行わねばならず、長時間の作業が必要であった。
【０００６】
また、表示の上に樹脂を一旦コーティングすると、表示内容を変更するためにはハンドレールの全体を交換しなければならず、宣伝広告などの表示内容を定期的に変更することはコスト面から実際上不可能であったという問題があった。
【０００７】
従って、この発明の目的は、連続した粘着シートを簡単に貼付剥離することのできるエスカレータハンドレール用連続シート貼付剥離装置を得ることである。
【０００８】
【課題を解決するための手段】
この発明に係わるエスカレータハンドレール用連続シート貼付剥離装置においては、エスカレータの欄干に取り付けられ得る台座上に貼付ユニットおよび剥離ユニットを備え、ハンドレール上に連続粘着シートを貼付し剥離させるための装置であって、貼付ユニットは、先端でハンドレール上に貼付された粘着シートをハンドレールの移動に応じてハンドレール上に連続的に供給する粘着シート供給装置と、粘着シート供給装置から供給された粘着シートをハンドレールの表面に沿って案内して貼付ける案内貼付装置とを備え、剥離ユニットは、ハンドレールから剥離させるべき粘着シートを巻き取りつつハンドレールから剥離させる方向に引いて剥離させる巻き取り装置と、この巻き取り装置をハンドレールの移動速度に対応する速度で駆動する駆動装置とを備え、剥離ユニットは、ハンドレールの移動方向に見て貼付ユニットの上流側に設けられる。
【０００９】
【発明の実施の形態】
実施の形態１．
図１はこの発明の実施の形態１のエスカレータハンドレール用連続シート貼付剥離装置の概略正面図、図２は図１の貼付ユニットの概略側面図、図３は図１の剥離ユニットの概略側面図、図４は図１で用いている摩擦クラッチ機構の概略断面図、図５は図１の案内貼付装置の概略平面図、図６は図１の案内貼付装置の概略側面図、図７は図１の展開案内装置の概略平面図、図８は図１の展開案内装置の概略側面図である。
【００１０】
エスカレータハンドレール用連続シート貼付剥離装置は、エスカレータの欄干１に取り付けられ得る台座２上に、貼付ユニット３と、剥離ユニット４とが備えられている。
台座２にはフレーム５と、欄干１の欄干パネル６の片側に配置されるようにフレーム５に固定された３本の保持アーム７と、その先端に付けられた吸盤装置８とを有する固定装置９が備えられている。またフレーム５にはベース５ａと、貼付ユニット３と剥離ユニット４を支持する立ち上がり部５ｂが備えられている。フレーム５は固定装置９で欄干パネル６に固着されている。
【００１１】
貼付ユニット３は、先端でハンドレール１０上に貼付された粘着シート１１をハンドレール１０の移動に応じてハンドレール１０上に連続的に供給する粘着シート供給装置１２と、粘着シート供給装置１２から供給された粘着シート１１をハンドレール１０の表面に沿って案内して貼付ける案内貼付装置１３とを備えている。
【００１２】
粘着シート供給装置１２は、フレーム５に回転自在に支持され、供給フィルムのローラ１４を回転可能に支持するフィルム支持軸１５と、フレーム５に回転自在に支持され、供給フィルムのロール１４から繰り出されたシート裏紙１６を巻き取る裏紙巻取ローラ１７と、フィルム支持軸１５上のロール１４の回転を裏紙巻取りローラ１７に伝達する伝達機構１８とを備えている。
【００１３】
フィルム支持軸１５に設けられた雌ねじ部１５ａに嵌合し、フィルム支持軸１５に供給フィルムのロール１４を固定するナット１９がフィルム支持軸１５に備えられている。
【００１４】
裏紙巻取りローラ１７は図４に示すように摩擦クラッチ機構２０を備え、摩擦クラッチ機構２０は、シート裏紙１６を巻き付けるボビン２１の内周面と摺動して応圧するクラッチバネ２２と、クラッチバネ２２の一端を保持するナット１９ａと、クラッチバネ２２の他端を保持するボビンフレーム２３とを備えている。
【００１５】
伝達機構１８は、フィルム支持軸１５に固着された歯車２４と、フレーム５に回転自在に支持された第１と第２の歯車軸２５、２６に固着された歯車２７、２８と、裏紙巻取りローラ１７に固着された歯車２９とを備えている。歯車２４と歯車２７と、歯車２７と歯車２８と、歯車２８と歯車２９が噛合して、従動する。歯車２４の回転速度は歯車２９の回転速度は、ロール１４に装着されている粘着シート供給スピードより常に早く回転するように歯車２４を設定してある。
【００１６】
案内貼付装置１３は、粘着シート供給装置１２から供給された粘着シート１１を案内貼付装置１３に引き込むゴムローラ３０と、ハンドレール１０上に供給された粘着シート１１にハンドレール１０の移動方向に見て下流側に向かって次第に方向が変化する押圧力を加える複数の押圧ローラ３１とを備えている。
ゴムローラ３０はゴムライニングされ、台座２に対して水平にフレーム５で回転自在に軸支されている。
【００１７】
押圧ローラ３１ａについて説明するが、後に説明する取付角度以外はその他の押圧ローラ３１ｂ、３１ｃ、３１ｄ、３１ｅも同じ構造である。押圧ローラ３１はそれぞれ押圧ローラ回動部材３２に回転自在に支持され、押圧ローラ回動部材３２はネジリコイルバネ３３で付勢され、取付部材３４に対して回動自由に支持されている。複数の取付部材３４は一対の鞍状の押圧部材取付板３５の内側面３５ａに固定されている。押圧部材取付板３５の外側面に平行な２個の直線軸受３６が設けられ、台座２に設けられた直線軸３７と嵌合して、水平方向に調整移動ができる。一対の押圧部材取付板３５間の間隔を調整するバネ３８とクランプ３９とからなる。
【００１８】
ハンドレール１０の移動方向に見て、ハンドレール１０の幅方向の内側に固定されている押圧ローラ３１ほど上流側に固定されている。
押圧ローラ３１は粘着シート１１の上から押圧力を加えて、粘着シート１１をハンドレール１０の表面に沿って曲げて密着する。押圧力の方向は、押圧ローラ３１の軸に垂直である。押圧ローラ３１の軸はハンドレール１０の移動方向に対して５個ともほぼ直角であるが、粘着シート１１に幅方向の張力を与えつつ貼付するためには僅かに傾けると良い結果が得られる。さらにハンドレール１０の幅方向の内側に固定された押圧ローラ３１の軸ほど、ハンドレール１０の鞍状の平坦部の平面に対して平行であり、外側に固定された押圧ローラ３１の軸ほど傾いている。
【００１９】
図６の押圧部材取付板３５の断面図に示すように、押圧部材取付板３５の内側面３５ａはハンドレール１０の鞍状の平坦部の平面に対して平行な頂上部５４ｂと、約４５度傾いた肩部３５ｃと、約７０度傾いた裾部３５ｄと、約９０度傾いた裾先端部３５ｅとを有し、頂上部３４ｂに押圧ローラ３１ａ、肩部３４ｃに押圧ローラ３１ｂと３１ｃ、裾部３４ｄに押圧ローラ３１ｄ、裾先端部３４ｅに押圧ローラ３１ｅを取付部材３４を介して固定されていて、押圧ローラ３１の押圧力の方向を決めている。
【００２０】
さらに、ハンドレール１０の移動方向に見て押圧部材取付板３５の先端にハンドレール締付ローラセット４０が備えられている。ハンドレール締付ローラセット４０は、押圧部材取付板３５の外側面３５ｆに固定され、ハンドレール１０の幅方向に対して外側に約４５度傾いたアーム４１と、アーム４１に直角に保持された固定板４２と、固定板４２にネジリコイルバネ３３で付勢されて回動自由に支持された締付ローラ回動部材４３と、締付ローラ回動部材４３に回転自在に支持された締付ローラ４４とを備えている。
【００２１】
次に、剥離ユニット４の構造を説明する。剥離ユニット４は、ハンドレール１０から剥離させるべき粘着シートを巻き取りつつハンドレール１０から剥離させる方向に引いて剥離させる巻き取り装置４５と、この巻き取り装置４５をハンドレール１０の移動速度に対応する速度で駆動する駆動装置４６と、台座２上に設けられ、粘着シートのハンドレール１０上に貼付された部分とハンドレールから剥離させる方向に引かれる部分との間に設けられ、粘着シートにハンドレール１０の移動方向に沿って次第に方向が変化する押圧力を加える複数の展開ローラ４７を持ち、ハンドレール１０の表面に沿って曲げて密着した粘着シートをハンドレール１０から剥離させつつ次第に平板状に拡げる展開案内装置４８とを備え、剥離ユニット４は、ハンドレールの移動方向に見て貼付ユニット３の上流側に設けられている。
【００２２】
巻き取り装置４５は、フレーム５に回転自在に軸支された２本の回転軸Ａ４９と回転軸Ｂ５０と、それぞれの回転軸Ａ４９と回転軸Ｂ５０とに設けられた雌ねじ４９ａ、５０ａに嵌合するネジＡ５１とネジＢ５２と、一端をネジＡ５１とネジＢ５２の側面で支持され、他端を回転軸Ａ４９と回転軸Ｂ５０の側面で支持された図示しない摩擦クラッチとを備えている。摩擦クラッチの構造は図４に示す裏紙巻き取りロールに設けられた摩擦クラッチ２０と同様である。
【００２３】
駆動装置４６は、台座２に回転自在に軸支され、ハンドレール１０とほぼ等しい幅のゴムローラ５３と、加圧ローラ部５４と、回転軸Ａ４９と回転軸Ｂ５０に固着された鎖車Ａ５５と鎖車Ｂ５６と、ゴムローラ５３に固着された鎖車Ｃ５７と、鎖車Ａ５５と鎖車Ｂ５６と鎖車Ｃ５７とを無端周回する鎖５８とを備えている。
【００２４】
加圧ローラ部５４は、加圧ローラ５９と、クランクアーム６０と、圧力調整アーム６１と、移動ネジ６２とを備えている。加圧ローラ５９はゴムローラ５３の側面からハンドレール１０の表面とその耳の部分との高さに相当する位置に配置されるように、クランクアーム６０の先端に回転自在に固定されている。クランクアーム６０は圧力調整アーム６１の先端に回転自在に支持され、圧力調整アーム６１の他端にネジ６１ａが切られ、そのネジ６１ａに対向する位置の台座２にもネジ２ａが切られて、そのネジ６１ａとネジ２ａと嵌合した移動ネジ６２が設けられている。移動ネジ６２にナット６３が固定されて、移動ネジ６２はネジ６１ａを下方に貫通している。
【００２５】
展開案内装置４８は、鞍状の内面を有した一対の展開案内ローラ支持板６４と、展開案内ローラ支持板６４に支持された複数の展開ローラ４７と、展開案内ローラ支持板６４の外側面に平行な２本の直線軸受３６が設けられ、台座２に設けられた直線軸３７と嵌合して、直線間歇移動ができる。一対の展開案内ローラ支持板６４間の間隔を調整するバネ３８とクランプ３９が設けられている。
展開案内ローラ支持板６４の内面６４ａにそれぞれ２個の展開案内ローラセット６５ａ、６５ｂが固定されている。展開案内ローラセット６５ａ、６５ｂはそれぞれ取付部材６６と、取付部材６６にネジリコイルバネ６７で付勢され、回動自在に支持された展開案内ローラ回動部材６８と、展開案内ローラ回動部材６８に回転自在に支持された展開ローラ４７とを備えている。
【００２６】
ハンドレール１０の移動方向に見て、ハンドレール１０の幅方向の外側に固定されている展開ローラ４７ほど上流側に固定されている。
展開ローラ４７の軸はハンドレール１０の移動方向に対して２個とも垂直である。さらにハンドレール１０の幅方向の内側に固定された展開ローラ４７の軸ほど、ハンドレール１０の鞍状の平坦部の平面に対して平行である。
図８の展開案内ローラ支持板６４の断面図に示すように、展開案内ローラ支持板６４の内側面６４ａはハンドレール１０の鞍状の平坦部の平面に対して約４５度傾いた肩部６４ｂと、約７０度傾いた裾部６４ｃとを有し、展開ローラ４７ａと４７ｂはそれぞれ肩部６４ｂ、裾部６４ｃに取付部材６６を介して固定され、展開ローラ４７の押圧力の方向を決めている。
【００２７】
フレーム５に中心軸の回りにゴムがライニングされた剥離された粘着シートを巻取装置４５へ案内するゴムローラ６９が台座２に対して水平に回転自在で支持されている。
台座２のハンドレール１０の移動方向に対して、貼付ユニット３と剥離ユニット４の中間と終端部に台座２とハンドレール１０の水平方向を調整する調整ローラ７０が台座２に回転自在に固定されている。
【００２８】
このような構成のエスカレータハンドレール用連続シート貼付剥離装置の操作について説明する。
まず貼付ユニット３の操作を説明する。貼付するハンドレール１０は、ハイパロンゴムからなり、高さ３０ｍｍ、幅８０ｍｍ位の鞍状の断面形状で、長さは一周で３０ｍ位の無端ベルトである。一方、フィルムはシンセディックポリマーフィルムの片側に印刷して表示体を設け、その印刷面に粘接着剤を塗布した粘着シート１１と、その上をラミネートしたシリコーン離型剤を塗布されたシート裏紙１６からなり、幅１３０ｍｍ位で外径８０ｍｍの紙管に所望の長さ、通常はハンドレール一周分である３０ｍを巻回されたロール１４になっている。
【００２９】
フィルムロール１４をフィルム支持軸１５に挿入後、ナット１９を締め付けて固定する。裏紙巻取ローラ１７にボビン２１を挿入後、ナット１９を締め付けてクラッチバネ２２がボビン２１の内周面に当たり、所望の回転トルク以上が加わるとボビン２１の内周面とクラッチバネ２２の接触面が滑るように固定する。フィルムローラ１４をシート裏紙１６と粘着シート１１とに分離し、シート裏紙１６を裏紙巻き取りローラ１７まで引っ張り出して先端部をボビン２１にテープで固定する。一方、粘着シート１１をゴムローラ３０とハンドレール１０の間を通過させてハンドレール１０の移動方向にさらに引き出し平たくハンドレール１０に貼り付ける。この状態から、押圧部材取付板３５の間隔を縮めて、押圧ローラ３１がハンドレール１０に当たるまでスライドし、停止したところでクランプ３９で固定する。この段階で、手で粘着シート１１の貼り付けの不十分の箇所を直したり、印を付けておく。次に１ｍ位ハンドレール１０を送って、手で貼り付けた部分を切り取っておく。
【００３０】
次に、ハンドレール１０を自動で駆動すると、ハンドレール１０に粘着シート１１が引っ張られて粘着シート１１がフィルムロール１４から引き出される。フィルム支持軸１５が回転すると、歯車２４、２７、２８を介して歯車２９が回転し、裏紙巻取ローラ１７が回転する。裏紙巻取ローラ１７の回転速度はフィルム支持軸１５より常に速いので、貼付の初期では裏紙巻取ローラ１７のシート裏紙１６が巻き取られる速度は、フィルムロール１４から引き出される速度より少し速いのでシート裏紙１６は常に引っ張られた状態で巻き取られ、貼付が進むほどシート裏紙１６を引っ張る力が大きくなるので、クラッチバネ２２とボビン２１の内周とで滑って、この力を逃がす摩擦クラッチ機構を構成している。
【００３１】
ここで案内貼付装置１３の動作を説明する。尚、ハンドレール１０の断面は緩やかに幅方向に傾いた緩慢傾斜部と、約４５度に外側に傾いた肩部と、ほぼ直立した壁部と、さらに内側に傾いた首部ｄがなめらかな曲線で結ばれた周囲を有している。
【００３２】
新規なフィルムロール１４からゴムローラ３０とハンドレール１０の間を通過した粘着シート１１は、ハンドレール１０の緩慢傾斜部に平らな状態で貼付され、さらに粘着シート１１はハンドレール１０と一緒に移動して、押圧ローラ３１ａとハンドローラ１０の緩慢傾斜部の間に挿入されて、その部分の粘着シート１１が貼付される。さらに、粘着シート１１はハンドレール１０と一緒に移動して、押圧ローラ３１ｂとハンドレール１０の緩慢傾斜部の下部へ間に挿入され、その部分の粘着シート１１が貼付される。このようにして、押圧ローラ３１ｃ、押圧ローラ３１ｄ、押圧ローラ３１ｅとハンドレール１０との当接する箇所を通過する過程で粘着シート１１が皺や気泡を残さずに貼付される。さらに、ハンドレール締付ローラセット４０の締付ローラ４４と首部との間に粘着シート１１が引き込まれて、粘着シート１１の幅方向の端部が貼付される。
貼付した部分が重なるまで貼付し、その後、端部に隙間がないように切り取って、その端部を接着力の大きな粘着テープで覆っておく。
【００３３】
次に、剥離ユニット４の操作を説明する。準備作業としては、回転軸Ａ４９と回転軸Ｂ５０に回収ボビン７１、７２を挿入し、ネジＡ５１とネジＢ５２を締め付けて固定する。ハンドレール１０を駆動し、貼られている粘着シートの終端部が作業が行われる位置に停止する。ナイフを用いて粘着シートを切断し、回収ボビン７１、７２に一周以上巻くことができる長さまで粘着シートをめくり、ゴムローラ６９に掛けてから、回収ボビン７１、７２に粘着シートの端部をテープで固定し、数回重ね巻きを行う。
【００３４】
加圧ローラ部５４を調整して、ハンドレール１０とゴムローラ５３との摩擦力を調整して、ハンドレール１０の移動に伴ってゴムローラ５３が回転するようにする。ナット６３を回転して、加圧ローラ５９をハンドレール１０の首部に当て、さらにナット６３を回転して所望の圧力をゴムローラ５３に加える。
展開案内ローラ支持板６４をハンドレール１０の幅方向にスライドして展開ローラ４７をハンドレール１０に当て、クランプ３９で固定する。
【００３５】
このように準備してからハンドレール１０を通常通り駆動すると、粘着シートは剥離されて、ボビン７１、７２に巻き取られていく。ハンドレール１０が移動すると、ゴムローラ５３が回転し、鎖５８が鎖車Ｃ５７で送られ、鎖５８が噛み合った鎖車Ａ５５と鎖車Ｂ５６とが回転する。
【００３６】
ここで展開案内装置４８の操作を説明する。展開ローラ４７ａで押圧されているハンドレール１０に粘着している粘着シートは、展開ローラ４７ａでハンドレール１０の裾部との間で押さえられ、それよりも内側の粘着シートは下流側の展開ローラ４７ｂで押さえられているので、外側だけの粘着シートに剥がす力が加わり、ハンドレール１０から剥がされる。次に、展開ローラ４７ｂで押さえているハンドレール１０に粘着している粘着シートは、展開ローラ４７ｂでハンドレール１０の肩部との間で押さえられているので、肩部より外側の粘着シートに剥がす力が加わり、ハンドレール１０から剥がされていく。さらにハンドレール１０が進むと展開ローラ４７は無いので、全幅に渡って剥離する力が加わり、ハンドレール１０から剥離され、ゴムローラ６９に送られていく。
【００３７】
このようなハンドレール用粘着シート貼付剥離装置を用いると、粘着シートの始めだけハンドレールに貼付すれば、その後はハンドレールの移動に伴って粘着シートが引き出されて、人手を煩わせることなくハンドレールに貼付することができる。
【００３８】
さらに、ハンドレールが彎曲した複雑な断面を有していても、粘着シートが彎曲面に沿って曲げられ密着した貼付をすることができる。
【００３９】
さらに、粘着シートを張り替える際に、ハンドレールから粘着シートの一部を剥離し、粘着シート貼付剥離装置にセットするだけで、ハンドレールの移動に伴って自動的に剥離される。
【００４０】
さらに、彎曲した複雑な断面のハンドレールに貼付されている粘着シートも、容易に剥離することができる。
【００４１】
さらに、剥離作業と同時に粘着シートの貼付作業を行うことができるので、作業に要する時間が短くなり、エスカレータの停止時間が少なくてすむ。
【００４２】
さらに、貼付剥離作業を一カ所で固定して行うことができ、さらに乗降口の近くで貼付剥離作業ができるので、作業の足場が確保できて安全に作業を行うことができる。
【００４３】
なお、実施の形態１では貼付ユニットと剥離ユニットを一つの台座に載せた構造であるが、それぞれ別の台座に載せた構造にして、貼付又は剥離を別々に行うこともできる。
【００４４】
また、このエスカレータハンドレール用連続シート貼付剥離装置をエスカレータに関して説明したが、歩く歩道のようにハンドレールで乗客を案内する装置にも同様に適用可能である。
【００４５】
実施の形態２．
図９はこの発明の実施の形態２のエスカレータハンドレール用連続シート貼付剥離装置に用いられる剥離装置の展開案内装置の概略断面図であり、図１０は図９の概略側面図である。
実施の形態１の剥離ユニットと異なるのは展開案内装置であり、その他はほぼ同じであるので説明は省略する。
【００４６】
展開案内装置７３は、一対の鞍状の剥離刃７４が保持板７５とロッド７６を介して上部保持板７７に固定されている。上部保持板７７の上面に備えられた直線軸受７８が、台座２に設けられた直線軸３７と嵌合して台座２に水平方向に移動自在に支持されている。
剥離刃７４はハンドレール１０の移動方向に対して、ハンドレールの裾部、肩部、緩慢傾斜部の順に当たるように、ハンドレール１０の移動方向に傾斜している。剥離刃７４はアルミニウムなど金属を絞ったり、切削加工で製作している。粘接着剤はハンドレール１０のゴムには時間を経過すると良好な接着性を示すが、金属には接着しづらいので、金属から製作された剥離刃７４が剥離の際の機械的抵抗にはならない。
【００４７】
次にこの展開案内装置７３の操作を説明する。実施の形態１と同様に準備作業として粘着シートの端部を剥がして、ボビンに巻き付けておく。次に、保持板７５の間隔を接近させて、展開案内装置７３を粘着シート１１のハンドレール上に貼付された部分とハンドレールから剥離される方向に引かれる部分との間に設ける。
このように準備してから、ハンドレール１０を駆動すると、実施の形態１と同様に粘着シート１１が巻かれて、１周分人手を煩わさないで剥離できる。
【００４８】
このようなエスカレータハンドレール用連続シート貼付剥離装置では、粘着シートの外側から剥離刃で剥離するので、粘着シートとハンドレール間の接着力が大きくても剥がすことができ、剥離残しがない。
【００４９】
【発明の効果】
以上の如くこの発明の粘着シート付ハンドレールによる効果は次の通りである。
エスカレータハンドレール用連続シート貼付剥離装置は、エスカレータの欄干に取り付けられ得る台座上に貼付ユニットおよび剥離ユニットを備え、ハンドレール上に連続粘着シートを貼付し剥離させるための装置であって、貼付ユニットは、先端でハンドレール上に貼付された粘着シートをハンドレールの移動に応じてハンドレール上に連続的に供給する粘着シート供給装置と、粘着シート供給装置から供給された粘着シートをハンドレールの表面に沿って案内して貼付ける案内貼付装置とを備え、剥離ユニットは、ハンドレールから剥離させるべき粘着シートを巻き取りつつハンドレールから剥離させる方向に引いて剥離させる巻き取り装置と、この巻き取り装置をハンドレールの移動速度に対応する速度で駆動する駆動装置とを備え、剥離ユニットは、ハンドレールの移動方向に見て貼付ユニットの上流側に設けられているので、粘着シートを張り替える際に、このエスカレータハンドレール用連続シート貼付剥離装置を一カ所に固定して、剥離する粘着シートの一部を剥がし、その部分をこの装置にセットすれば、ハンドレールの駆動の力で一周に渡って剥離することができる。
また、剥離する粘着シートを剥がすと同時に新しい粘着シートを貼付することができるので、張り替えに要する時間が短くてすむ。
また、彎曲しているハンドレールの面に皺や気泡を残さずに粘着シートを貼付することができる。
【図面の簡単な説明】
【図１】この発明の実施の形態１のエスカレータハンドレール用連続シート貼付剥離装置の正面図である。
【図２】図１の貼付ユニットの概略側面図である。
【図３】図１の剥離ユニットの概略側面図である。
【図４】図１の摩擦クラッチ機構の概略断面図である。
【図５】図１の押圧部材取付板の概略平面図である。
【図６】図５の概略側面図である。
【図７】図１の展開案内ローラ支持板の概略平面図である。
【図８】図７の概略側面図である。
【図９】この発明の実施の形態２のエスカレータハンドレール用連続シート貼付剥離装置の展開案内装置の概略断面図である。
【図１０】図９の概略側面図である。
【符号の説明】
１　欄干、２　台座、３　貼付ユニット、４　剥離ユニット、５　フレーム、６　欄干パネル、７　保持アーム、８　吸盤装置、９　固定装置、１０　ハンドレール、１１　粘着シート、１２　粘着シート供給装置、１３　案内貼付装置、１４　ローラ、１５　フィルム支持軸、１６　シート裏紙、１７　裏紙巻取りローラ、１８　伝達機構、１９、６３　ナット、２０　摩擦クラッチ機構、２１　ボビン、２２　クラッチバネ、２３　ボビンフレーム、２４、２７、２８、２９歯車、２５、２６　歯車軸、３０、５３、６９　ゴムローラ、３１　押圧ローラ、３２　押圧ローラ回動部材、３３、６７　ネジリコイルバネ、３４、６６　取付部材、３５　押圧部材取付板、３６、７８　直線軸受、３７　直線軸、３８バネ、３９　クランプ、４０　ハンドローラ締付ローラセット、４１　アーム、４２　固定板、４３　締付ローラ回動部材、４４　締付ローラ、４５　巻き取り装置、４６　駆動装置、４７　展開ローラ、４８、７３　展開案内装置、４９、５０　回転軸、５１、５２　ネジ、５４　加圧ローラ部、５５、５６、５７　鎖車、５８　鎖、５９　加圧ローラ、６０　クランクアーム、６１　圧力調整アーム、６２　移動ネジ、６４　展開案内ローラ支持板、６５　展開案内ローラセット、６８　展開案内ローラ回動部材、７０　調整ローラ、７１、７２　回収ボビン、７４　剥離刃、７５　保持板、７６　ロッド、７７　上部保持板。
【図１】
2004123253.tif 000003
【図２】
2004123253.tif 000004
【図３】
2004123253.tif 000005
【図４】
2004123253.tif 000006
【図５】
2004123253.tif 000007
【図６】
2004123253.tif 000008
【図７】
2004123253.tif 000009
【図８】
2004123253.tif 000010
【図９】
2004123253.tif 000011
【図１０】
2004123253.tif 000012